【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
プロセッサによって実行されると、前記プロセッサに、タッチスクリーンを備えたモバイルコンピュータシステム上でグラフィカルユーザーインターフェースに表示された利用可能項目を選択させる命令を有するコンピュータ読み取り可能なプログラムであって、前記選択は、
前記タッチスクリーンの下部分における第一ジェスチャを検出するステップを含み、前記第一ジェスチャは第一位置で終わり、前記下部分は前記タッチスクリーンの下縁部の上に所定の高さを有し、前記選択は、
前記第一ジェスチャを検出することに応答して、片手操作モードを起動するステップと、
前記プロセッサ上で実行中のフォアグラウンドアプリケーション用の複数の利用可能項目のシーケンスを決定するステップと、
前記タッチスクリーン上で、前記第一位置で開始し第二位置で終了する第二ジェスチャを検出するステップと、
前記第二ジェスチャを検出することに応答して、前記シーケンスの複数の利用可能項目のうちの一つを前記第二位置に基づいて強調表示するステップと、
前記タッチスクリーン上で第三ジェスチャを検出するステップと、
前記第二位置でのリリースを前記第三ジェスチャとして検出することに応答して、前記フォアグラウンドアプリケーションによって処理するための、前記強調表示された利用可能項目を選択し、前記片手操作モードを停止するステップとを含む、コンピュータ読み取り可能なプログラム。
【請求項２】
前記第一ジェスチャは、前記タッチスクリーンの側縁部のうちの一方で始まる水平スワイプである、請求項１に記載のコンピュータ読み取り可能なプログラム。
【請求項３】
前記第二ジェスチャは、垂直スワイプまたは円弧である、請求項２に記載のコンピュータ読み取り可能なプログラム。
【請求項４】
前記利用可能項目を選択するステップは、さらに、
前記第二位置で始まり前記タッチスクリーンの前記側縁部のうちの一方で終わる水平スワイプを前記第三ジェスチャとして検出することに応答して、前記片手操作モードを停止するステップを含む、請求項３に記載のコンピュータ読み取り可能なプログラム。
【請求項５】
前記利用可能項目を選択するステップは、さらに、
前記第二ジェスチャが前記第一位置と前記第二位置との間で移動するにつれて、次の利用可能項目が強調表示される前に前の利用可能項目の強調表示が解除されるように、前記シーケンスの複数の利用可能項目を次々に強調表示するステップを含む、請求項３または４に記載のコンピュータ読み取り可能なプログラム。
【請求項６】
前記利用可能項目を選択するステップは、さらに、
前記第二位置から第三位置までの前記第二ジェスチャの継続を前記第三ジェスチャとして検出することに応答して、前記第三ジェスチャが前記第二位置と前記第三位置との間で移動するにつれて、次の利用可能項目が強調表示される前に前の利用可能項目の強調表示が解除されるように、前記シーケンスの複数の利用可能項目を次々に強調表示するステップと、
前記利用可能項目のシーケンスの終端に到達したと判断するステップと、
リリース、または前記第三位置で始まり前記タッチスクリーンの前記側縁部のうちの一方で終わる水平スワイプである第四ジェスチャを前記タッチスクリーン上で検出することに応答して、前記片手操作モードを停止するステップとを含む、請求項５に記載のコンピュータ読み取り可能なプログラム。
【請求項７】
前記所定の高さは、前記タッチスクリーンの高さの約１５％である、請求項１から６のいずれか１項に記載のコンピュータ読み取り可能なプログラム。
【請求項８】
前記シーケンスは、前記グラフィカルユーザーインターフェースの左上隅で開始し右下隅で終了するように、複数の利用可能項目を前記グラフィカルユーザーインターフェースにマッピングする、請求項１から７のいずれか１項に記載のコンピュータ読み取り可能なプログラム。
【請求項９】
前記複数の利用可能項目はグリッドパターン配置された複数のアイコンであり、前記利用可能項目を強調表示することは前記アイコンの色を変更することを含む、請求項１から８のいずれか１項に記載の非一時的なコンピュータ読み取り可能なプログラム。
【請求項１０】
前記複数の利用可能項目は複数のグラフィカル制御要素であり、前記利用可能項目を強調表示することは前記グラフィカル制御要素の周りに枠を加えることを含む、請求項１から８のいずれか１項に記載のコンピュータ読み取り可能なプログラム。
【請求項１１】
プロセッサおよびタッチスクリーンを備えたモバイルコンピュータシステム上でグラフィカルユーザーインターフェースに表示された利用可能項目をコンピュータを利用して選択する方法であって、
前記タッチスクリーンの下部分における第一ジェスチャを検出するステップを含み、前記第一ジェスチャは第一位置で終わり、前記下部分は前記タッチスクリーンの下縁部の上に所定の高さを有し、前記方法は、
前記第一ジェスチャを検出することに応答して、片手操作モードを起動するステップと、
前記プロセッサ上で実行中のフォアグラウンドアプリケーション用の複数の利用可能項目のシーケンスを決定するステップと、
前記タッチスクリーン上で、前記第一位置で開始し第二位置で終了する第二ジェスチャを検出するステップと、
前記第二ジェスチャを検出することに応答して、前記シーケンスの複数の利用可能項目のうちの一つを前記第二位置に基づいて強調表示するステップと、
前記タッチスクリーン上で第三ジェスチャを検出するステップと、
前記第二位置でのリリースを前記第三ジェスチャとして検出することに応答して、前記フォアグラウンドアプリケーションによって処理するための、前記強調表示された利用可能項目を選択し、前記片手操作モードを停止するステップとを含む、方法。
【請求項１２】
タッチスクリーンと、
メモリと、
前記タッチスクリーンおよび前記メモリに接続され、プロセッサおよびタッチスクリーンを備えたモバイルコンピュータシステム上でグラフィカルユーザーインターフェースに表示された利用可能項目を選択するように構成されたプロセッサとを備えるモバイルコンピュータシステムであって、前記選択は、
前記タッチスクリーンの下部分における第一ジェスチャを検出するステップを含み、前記第一ジェスチャは第一部分で終わり、前記下部分は前記タッチスクリーンの下縁部の上に所定の高さを有し、前記選択は、
前記第一ジェスチャを検出することに応答して、片手操作モードを起動するステップと、
前記プロセッサ上で実行中のフォアグラウンドアプリケーション用の複数の利用可能項目のシーケンスを決定するステップと、
前記タッチスクリーン上で、前記第一位置で開始し第二位置で終了する第二ジェスチャを検出するステップと、
前記第二ジェスチャを検出することに応答して、前記シーケンスの複数の利用可能項目のうちの一つを前記第二位置に基づいて強調表示するステップと、
前記タッチスクリーン上で第三ジェスチャを検出するステップと、
前記第二位置でのリリースを前記第三ジェスチャとして検出することに応答して、前記フォアグラウンドアプリケーションによって処理するための、前記強調表示された利用可能項目を選択し、前記片手操作モードを停止するステップとを含む、モバイルコンピュータシステム。
【請求項１３】
前記第一ジェスチャは、前記タッチスクリーンの側縁部のうちの一方で始まる水平スワイプであり、前記第二ジェスチャは、垂直スワイプまたは円弧である、請求項１２に記載のモバイルコンピュータシステム。
【請求項１４】
前記プロセッサは、さらに、
前記第二ジェスチャが前記第一位置と前記第二位置との間で移動するにつれて、次の利用可能項目が強調表示される前に前の利用可能項目の強調表示が解除されるように、前記シーケンスの複数の利用可能項目を次々に強調表示し、
前記第二位置で始まり前記タッチスクリーンの前記側縁部のうちの一方で終わる水平スワイプを前記第三ジェスチャとして検出することに応答して、前記片手操作モードを停止し、
前記第二位置から第三位置までの前記第二ジェスチャの継続を前記第三ジェスチャとして検出することに応答して、
前記第三ジェスチャが前記第二位置と前記第三位置との間で移動するにつれて、次の利用可能項目が強調表示される前に前の利用可能項目の強調表示が解除されるように、前記シーケンスの複数の利用可能項目を次々に強調表示し、
前記利用可能項目のシーケンスの終端に到達したと判断し、
リリース、または前記第三位置で始まり前記タッチスクリーンの前記側縁部のうちの一方で終わる水平スワイプである第四ジェスチャを前記タッチスクリーン上で検出することに応答して、前記片手操作モードを停止するように構成されている、請求項１３に記載のモバイルコンピュータシステム。
【請求項１５】
前記所定の高さは、前記タッチスクリーンの高さの約１５％であり、前記シーケンスは、前記グラフィカルユーザーインターフェースの左上隅で開始し右下隅で終了するように、複数の利用可能項目を前記グラフィカルユーザーインターフェースにマッピングする、請求項１２から１４のいずれか１項に記載のモバイルコンピュータシステム。
【請求項１６】
前記複数の利用可能項目はグリッドパターン配置された複数のアイコンであり、前記利用可能項目を強調表示することは前記アイコンの色を変更することを含む、または、前記複数の利用可能項目は複数のグラフィカル制御要素であり、前記利用可能項目を強調表示することは前記グラフィカル制御要素の周りに枠を加えることを含む、請求項１２から１４のいずれか１項に記載のモバイルコンピュータシステム。